(57)【要約】【課題】グリーンの状態、又は、プレーヤの好みに合わせて、フェースの重心位置、重心高さ、重心深度、重量を微妙に調整できるようにする。【解決手段】フェース４と、該フェース４の打撃面の反対側に取り付けられた平面視略矩形状のフレーム７と、該フレーム７の長手方向の側壁９ｂの略中央部に取り付けられたシャフト２と、フレーム７の先端部にねじ止めされた円弧状のバー１５とを具備したゴルフパター（フューチュラ１）のみに使用するもので、フレーム７の空洞部１２に空洞部重量調整部材２０を挿入する。さらには、１〜３個（合計９個）の穴部重量調整部品２２，…をグリーンの芝の状態、又は、プレーヤの好みや癖に合わせて、適宜選択したフレーム７の基端部、中央部、先端部の穴１３ａ〜１３ｃに挿入して空洞部重量調整部材２０にねじ止めして、フェース４の重心位置、重心高さ、重心深度、重量を調整する。【選択図】　　図１
0003099312.tif 000002
【実用新案登録請求の範囲】
【請求項１】
フェースと、該フェースの打撃面の反対側に取り付けられた平面視略矩形状のフレームと、該フレームの長手方向の側壁の略中央部に固着されたシャフトと、フレームの先端部に取り付けられた円弧状のバーとを具備し、フレームの上壁には、３個の穴が穿設されると共に、上壁の側端部から垂下された側壁によって空洞部が形成されてなるゴルフパターの重量調整具であって、フレームの空洞部に挿入可能な空洞部重量調整部材を備えたことを特徴とするゴルフパターの重量調整具。
【請求項２】
空洞部重量調整部材は、フレームの穴に挿入可能な複数個の穴部重量調整部品が着脱可能に取り付けられるように構成されてなることを特徴とする請求項１に記載のゴルフパターの重量調整具。
【考案の詳細な説明】
【０００１】
【考案の属する技術分野】
本考案は、グリーン上で使用するゴルフパターの重量調整具に関する。
【０００２】
【従来の技術及び考案が解決しようとする課題】
一般に、グリーン上で使用されるゴルフパターにおいては、フェースの重心位置、重心高さ、重心深度、重量によって、ゴルフボールのスピン量やストロークが微妙に変化することが知られている。
【０００３】
このため、昨今においては、フェースの重心位置、重心高さ、重心深度、重量を微妙に変化させて、ゴルフボールのスピン量やストロークを調整するようにしたゴルフパター、即ちフューチュラ（商品名　タイトリスト社製）が開発されている。このゴルフパターは、フェースと、該フェースの打撃面の反対側に取り付けられた平面視略矩形状のフレームと、該フレームの長手方向の側壁の略中央部に固着されたシャフトと、フレームの先端部に取り付けられた円弧状のバーとを具備し、フレームの上壁には、３個の穴が穿設されると共に、上壁の側端部から垂下された側壁によって空洞部が形成されている。
【０００４】
しかしながら、前記フューチュラの場合、フレームによって重心位置がフェースの打撃面の反対方向に位置することで、ゴルフボールのスピン量やストロークを微妙に変化させることはできるが、グリーンの状態、又は、プレーヤの好みや癖に合わせた微妙な変化には容易に対応できないという問題がある。
【０００５】
ところで、実用新案登録第２５５０６５８号に示すように、フェースに空洞を形成したり、中空のフェースを使用したりすることで、フェース自体の重量を変化させた従来のゴルフパターが公知になっているが、前記と同様の問題がある。
【０００６】
そこで、本考案は上記問題点に鑑み、グリーンの状態、又は、プレーヤの好みに合わせて、フェースの重心位置、重心高さ、重心深度、重量を微妙に調整できるゴルフパターの重量調整具を提供することを目的とする。
【０００７】
【課題を解決するための手段】
上記課題を解決するために、本考案のゴルフパターの重量調整具は、請求項１に示す如く、フェースと、該フェースの打撃面の反対側に取り付けられた平面視略矩形状のフレームと、該フレームの長手方向の側壁の略中央部に固着されたシャフトと、フレームの先端部に取り付けられた円弧状のバーとを具備し、フレームの上壁には、３個の穴が穿設されると共に、上壁の側端部から垂下された側壁によって空洞部が形成されてなるゴルフパターの重量調整具であって、フレームの空洞部に挿入可能な空洞部重量調整部材を備えたものである。
【０００８】
したがって、フレームの空洞部に空洞部重量調整部材が挿入されることで、フェースの打撃面の反対側に重量が偏ることになり、重心深度がより深くなり、ゆっくりとしたストロークを行えるようになる。
【０００９】
また、請求項２に示す如く、フレームの穴に挿入可能な複数個の穴部重量調整部品を、空洞部重量調整部材に着脱可能に取り付けるようにしてものである。
【００１０】
この場合、フレームの穴に穴部重量調整部品が挿入されて空洞部重量調整部材に取り付けられることで、フレームの空洞部に連通する穴の部分に重量が付加されることになり、フレームの基端部、中央部、先端部の位置によって微妙な重量の調整が行われる。
【００１１】
例えば、穴部重量調整部品がフレームの基端部側の穴に挿入された場合、フェースの近傍が重くなることで、インパクトが強くなってゴルフボールの回転が芝目の影響を受けにくくなる。
【００１２】
また、穴部重量調整部品がフレームの中央部の穴に挿入された場合、フューチュラ特有のきれいなストロークを充分に引き出せる。即ち、ゴルフパターを、フェースを略スクエアに保持した状態で最後までスイングできる。
【００１３】
さらに、穴部重量調整部品がフレームの先端部の穴に挿入された場合、バーの近傍が重くなることで、ストロークの慣性モーメントが最も大きくなり、フェースをスクエア状態により保持しやすくなる。ゴルフボールの中心部をフェースの略重心位置でより正確に捉えることができる。
【００１４】
【考案の実施の形態】
本考案の一実施形態につき、図１〜図５を参照して説明する。
本考案のゴルフパターの重量調整具は、前述したゴルフパター、即ちフューチュラ（商品名　タイトリスト社製）のみに適用するものであるため、まず、このフューチュラ１の構成について説明する。
【００１５】
該フューチュラ１は、シャフト２の上端部に設けられたグリップ３と、シャフト２の下端部に設けられたフェース４と、フェース４の打撃面の反対側にねじ止めされたフレーム７と、該フレーム７にねじ止めされた円弧状のバー１５とから構成されている。
【００１６】
フレーム７は、上壁８が略平面視矩形状、該上壁８の長辺に沿って垂下された両側の側壁９ａ，９ｂが側面視略台形状を呈している。さらに、上壁８の短辺に沿って垂下された両側（基端部側及び先端部側）の側壁１０，１１が側面視略矩形状を呈している。加えて、フェース４に接続されている基端部側の側壁１０には、フェース４に接続するための接続部１０ａ、１０ａが突出して形成されると共に、バー１５が接続されている先端部側の側壁１１の端面が円弧面を呈している。
【００１７】
また、フレーム７は、各側壁９ａ、９ｂ、１０、１１に囲繞されて形成された空洞部１２を有している。さらに、フレーム７の上壁８には、３個の穴１３ａ〜１３ｃが穿設されている。加えて、フレーム７の長手方向の側壁９ｂの略中央部には、シャフト２の取付支持部１４が傾斜して設けられている。そして、フレーム７の空洞部１２と各穴１３ａ〜１３ｃとは連通している。
【００１８】
バー１５は、その中央部がフレーム７の先端部の円弧面に接続されている。さらに、バー１５の両端部が、フレーム７の基端部側の穴１３ａと中央部の穴１３ｂとの間に位置している。
【００１９】
そして、フェース４とフレーム７とによってＴ字形状の外形を呈し、フェース４、フレーム７、バー１５によって略Ｄ形状の外形を呈している。
【００２０】
つぎにゴルフパターの重量調整具の構成について説明する。重量調整部品は、フレーム７の空洞部１２と略同一形状（台柱形状）の空洞部重量調整部材２０と、フレーム７の穴１３ａ〜１３ｃと略同一径の円板形状の穴部重量調整部品２２，…とを具備している。さらに、各穴部重量調整部品２２，…の中央部にボルト２４，…の挿通穴２３，…が穿設されると共に、空洞部重量調整部材２０の上部に３個のねじ穴２１，…が形成されている。なお、空洞部重量調整部材２０、及び、穴部重量調整部品２２，…に使用する材料としては、アルミ、銅、鉛、樹脂、木片のいずれかを選択する。また、空洞部重量調整部材２０、又は、複数の穴部重量調整部品２２，…は誰もが容易に取り付けできる。
【００２１】
そして、必要に応じて穴部重量調整部品２２，…の個数を決定し、各穴部重量調整部品２２，…の挿通穴２３，…にボルト２４，…を挿通し、空洞部重量調整部材２０のねじ穴２１，…に螺合させて、穴部重量調整部品２２，…を空洞部重量調整部材２０に取り付ける。なお、穴部重量調整部品２２，…は合計９個で、３個の穴部重量調整部品２２，…がフレーム７の一つの穴１３ａ、１３ｂ、１３ｃにそれぞれ挿入できるようになっている。また、図２に示すように、フレーム７の基端部側の穴１３ａ〜先端部側の穴１３ｃに向かうにしたがって重くなるように、穴部重量調整部品２２，…を空洞部重量調整部材２０に取り付けるようにしてもよい。この場合、穴部重量調整部品２２が、フレーム７の基端部側の穴１３ａに２個、中央部の穴１３ｂに３個、先端部側の穴１３ｃに４個挿入されている。
【００２２】
つぎにゴルフパターの重量調整具の使用態様について説明する。まず、グリーンの状態、例えば、高速グリーンに合わせて重量調整する場合、ゆっくりとストロークできるように、フレーム７の空洞部１２に空洞部重量調整部材２０を挿入すると共に、必要と思われる個数の穴部重量調整部品２２，…を、適宜選択したフレーム７の各穴１３ａ〜１３ｃに挿入し、重めのセッティングにする。
【００２３】
また、芝目のきついグリーンの場合、速いストロークができるように、フレーム７の空洞部１２に空洞部重量調整部材２０のみを挿入するか、若しくは、空洞部重量調整部材２０に加えて、１個又は２個程度の穴部重量調整部品２２，…を、適宜選択したフレーム７の各穴１３ａ〜１３ｃに挿入し、軽めにセッティングする。
【００２４】
つぎに重心深度を変化させてゴルフボールのスピン量を調整する場合、例えば、フレーム７の基端部側の穴１３ａの重量を大きくすると、フェース４の縦方向の慣性モーメントが大きくなり、インパクトのロフト角の変化が少なくなり、ゴルフボールの転がりが安定する。
【００２５】
また、フレーム７の中央部の穴１３ｂの重量を大きくすると、フェース４をインサイドに引きやすくなり、流れるようなストロークができ、フューチュラ１の特徴を最も引き出せる。
【００２６】
さらに、フレーム７の先端部の穴１３ｃの重量を大きくすると、ゴルフボールのスピン量が少なくなり、球足の長いパッドができるようになる。
【００２７】
なお、前記実施形態の場合、空洞部重量調整部材２０と複数の穴部重量調整部品２２，…とを組み合わせたが、空洞部重量調整部材２０のみをフレーム７に取り付けるようにしてもよい。但し、この場合、空洞部重量調整部材２０をフレーム７の空洞部１２に接着する必要がある。
【００２８】
また、前記実施形態の場合、フレーム７の空洞部１２と略同一形状の空洞部重量調整部材２０としが、空洞部重量調整部材２０を分割するようにしてもよい。例えば、フレーム７の空洞部１２の先端部側、中央部、基端部側にそれぞれ挿入可能な形状の空洞部重量調整部材２０であってもよく、空洞部２０の基端部から中央部にかけて、又は、空洞部２０の中央部から先端部にかけて挿入可能な形状であってもよい。さらに、フレーム７の空洞部１２と略同一形状の空洞部重量調整部材２０に、フレーム７の穴１３ａ〜１３ｃと同じ位置に穴を穿設してもよい。例えば、空洞部重量調整部材２０の基端部、中央部、先端部のいずれか一つ、又は、これらの位置を組み合わせて穴を穿設してもよい。加えて、空洞部重量調整部材２０に穿設される穴の径、深さを変えるようにしてもよいし、分割された主張性部材２０に穴を穿設してもよい。また、フレーム７の空洞部１２及び穴１３ａ〜１３ｃに挿入可能な重量調整部品としたが、フレーム７を上方又は下方から覆うような平板状の重量調整部品としてもよい。要するに、フレーム７の穴１３ａ〜１３ｃと空洞部２０を利用して重量を調整するようにすればよい。
【００２９】
さらに、前記実施形態の場合、９個の穴部重量調整部品２２，…を使用したが、穴部重量調整部品２２，…の個数は限定されるものではない。穴部重量調整部品２２，…を薄形にして個数を増やし、より微調整しやすいようにしてもよい。
【００３０】
加えて、前記実施形態の場合、円板形状の穴部重量調整部品２２，…としたが、フレーム７の穴１３ａ〜１３ｃに挿入可能な形状であればよく、穴部重量調整部品２２，…の形状や大きさは特に限定するものではない。
【００３１】
また、前記実施形態の場合、ボルト２４，…によって穴部重量調整部品２２，…を空洞部重量調整部材２０に取り付けるようにしたが、空洞部重量調整部材２０及び穴部重量調整部品２２，…を磁石で構成して磁着するようにしてもよい。
【００３２】
【考案の効果】
以上説明したように、本考案のゴルフパターの重量調整具は、重量を調整するための空洞部重量調整部材、又は、複数の穴部重量調整部品を組み合わせて、フューチュラのフレームの空洞部及び複数の穴に挿入することで、フェースの重心位置、重心高さ、重心深度、重量を微妙に調整するのに有効である。また、空洞部重量調整部材、又は、複数の穴部重量調整部品は誰もが容易に取り付けできる。
【図面の簡単な説明】
【図１】本考案のゴルフパターの重量調整具の実装状態を示した斜視図である。
【図２】本考案のゴルフパターの重量調整具を実装したゴルフパターのフェースの側断面図である。
【図３】ゴルフパターの底面図である。
【図４】空洞部重量調整部材の斜視図である。
【図５】穴部重量調整部品の斜視図である。
【符号の説明】
１　フューチュラ（ゴルフパター）
２　シャフト
３　グリップ
４　フェース
７　フレーム
８　上壁
９ａ、９ｂ、１０、１１　側壁
１２　空洞部
１３ａ〜１３ｃ　穴
１４　取付支持部
１５　バー
２０　空洞部重量調整部材
２１　ねじ穴
２２　穴部重量調整部品
２３　挿通穴
２４　ボルト
【図１】
0003099312.tif 000003
【図２】
0003099312.tif 000004
【図３】
0003099312.tif 000005
【図４】
0003099312.tif 000006
【図５】
0003099312.tif 000007